(57)【要約】  【課題】システムキッチンにおいてシンク下を有効に活用する。  【解決手段】システムキッチンにおいて外枠１０の上部にシンク１１を配置するとき、最下段の収納スペースに冷蔵庫を設置する場合、その構成は収納部１６とその左右どちらかに機械室１７を配設し、機械室１７の前方に吸込みグリル１４Ｃを設け排気ダクト３０は収納部１６下部に配設していることにより、システムキッチン奥面にシンク１１の給排水管がある場合でも空間の温度環境を一定に保ち、かつ機械室１７の吸排気が十分に行え、かつ機械室１７の吸気部分に防塵用のフィルター３４を設け、かつ防塵用フィルターの清掃時期を知らせるフィルターお掃除お知らせランプ１５を設けることにより、冷却性能を十分に確保し、メンテナンスを容易にすることができる。【選択図】図１
2007040671.tif 000002
【特許請求の範囲】
【請求項１】
システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レール、可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱器と熱交換した空気を前記貯蔵室の下部から前方に排出する排気ダクトを前記貯蔵室の下部に設け、前記排気ダクト内には蒸発皿を設け、前記空気の吸い込み口に埃が前記機械室内に入ることを防ぐためのフィルターを設け、前記機械室内部に冷蔵庫の電源がＯＮすると冷蔵庫の運転経過時間の積算を開始し、冷蔵庫の電源をＯＦＦにすると運転経過時間をリセットする運転時間積算タイマーを設け、前記機械室前面に運転経過時間が所定の時間に達すると点灯するフィルターお掃除お知らせランプを設けたことを特徴とするシステムキッチン組み込み式冷蔵庫。
【請求項２】
冷蔵庫の機械室前面にＯＮすると冷蔵庫の運転経過時間をリセットする運転経過時間リセットスイッチを設けたことを特徴とする請求項１に記載のシステムキッチン組み込み式冷蔵庫。
【請求項３】
冷蔵庫の機械室前面の空気の吸い込み口のフィルター取り付け部に、フィルターが取付けられるとＯＮし、フィルターが外されるとＯＦＦするフィルター状態判定スイッチを設け、前記フィルター状態判定スイッチがＯＮでかつ冷蔵庫の電源をＯＮすると運転経過時間の積算を開始し、前記フィルター状態判定スイッチがＯＦＦすると運転経過時間をリセットすることを特徴とした請求項１に記載のシステムキッチン組み込み式冷蔵庫。
【請求項４】
冷蔵庫の機械室前面において、フィルターの空気を通過させる部分を保持するフィルター枠と対面し外の光から遮られる部分に光センサーを設け、前記光センサーが光を検知せず、かつ冷蔵庫の電源をＯＮすると運転経過時間の積算を開始し、前記光センサーが光を検知すると運転経過時間をリセットすることを特徴とした請求項１に記載のシステムキッチン組み込み式冷蔵庫。
【請求項５】
冷蔵庫の機械室内部の空気吸い込み口後方に、空気の流量を検知する風量センサーを設け、前記機械室前面に空気の流量が所定の流量以下になると点灯し、所定の流量以上になると消灯するフィルターお掃除お知らせランプを設けたことを特徴とした請求項１に記載のシステムキッチン組み込み式冷蔵庫。
【発明の詳細な説明】
【技術分野】
【０００１】
本発明はシステムキッチンの一区画の下部空間に収納できるよう構成した冷蔵庫の収納形態及びその構成に関するものである。
【背景技術】
【０００２】
従来システムキッチン等に収納される機器としては、電気式レンジオーブン・テーブル、ガス式オーブン・テーブル、食器洗い乾燥機、生ごみ処理機等が主なものである。特に最近は食器洗い乾燥機でも、ボックス状の収納部が引き出し式であるものが主流となり、収納部についても、上段から下段まで引き出し式の収納部となっている。
【０００３】
しかし、その収納部の中でもシンク下については、シンク用の給排水配管があり、例えば、その部分については、他の引き出し収納部より奥行きが狭い空間となっている。システムキッチンの他の区画には保冷庫を設置している例はある（特許文献１参照）。
【０００４】
図１１は、特許文献１に記載されたシステムキッチン用の保冷庫を示すものである。図１１に示すように、台所収納体の組付け空間１に組み込まれる外ケース２に出し入れされる容器状の収納体３と，ペルチェ素子４、送風ファン５、及び熱交換器６等で構成し、容器状の収納体を周囲温度より低い温度にした保冷庫をシステムキッチンの収納部の一部に配設することで、食品の変質や味落ちを防止できる。また保冷庫の左右に熱交換器用の空気導入経路７と排気経路８を配設することでシステムキッチンの収納部に収まった状態でも吸排気スペースを確保できる。
【特許文献１】特開２００３−１６１５６５号公報
【発明の開示】
【発明が解決しようとする課題】
【０００５】
しかしながら、上記従来構成では、シンク下に設置した場合、奥側にシンク用の給排水管がある為、冷却ユニットを収納空間の奥側に設けると奥行きのない収納部となり、また機械室の吸排気口を左右に設置すると十分に面積が確保されない課題を有していた。
【０００６】
本発明は、上記従来の課題を解決するもので、システムキッチンのシンク下部の、奥側に給排水管がある空間に収納でき、機械室の給排気が十分に行え、メンテナンスが容易に行えるよう構成した冷蔵庫を提供することを目的とする。
【課題を解決するための手段】
【０００７】
上記従来の課題を解決するために、本発明の冷蔵庫は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記空気の吸い込み口に防塵用のフィルターを設け、前記機械室と連通して前記冷却ユニットの放熱部と熱交換した空気を前記貯蔵室の下部から前方に排出する排気ダクトを前記貯蔵室の下部に設け、前記排気ダクト内には蒸発皿を設け、前記機械室前面に防塵用フィルターの清掃時期を知らせるランプを設けたこととしているものである。
【０００８】
これによって、システムキッチンの奥面に給排水配管のある最下段の空間においても奥行き方向の収納スペースを確保でき、防塵用フィルターの清掃時期を知らせることで冷蔵庫のメンテナンス性を向上したものである。
【発明の効果】
【０００９】
本発明の冷蔵庫は、システムキッチン内の限られた空間において、システムキッチンの枠内に簡単にビルトイン設置でき、また奥行き方向の収納量を確保することができ、防塵用フィルターの掃除時期を知らせることができる。
【発明を実施するための最良の形態】
【００１０】
請求項１に記載の発明は、システムキッチンの最下段の引き出しスペースに設置される冷蔵庫であって、前面を開口した貯蔵室の左右どちらか一方に前記貯蔵室を冷却するための冷却ユニットを集中配置し、前記貯蔵室は、固定レールと前後方向にスライド可能に前記固定レールに支持される中間レールと可動レールとからなるレール機構を左右の内側壁下部に備え、前記貯蔵室の前面開口部を開閉する引き出し式の扉の内面には、前記レール機構と係合して前記貯蔵室内の奥行き寸法分の前記扉の引き出しができるように前記扉を支持する受枠が固定され、前記受枠には上面を開口した容器が載せられ、前記冷却ユニットを収納する機械室の前面に前記冷却ユニットの放熱部を冷却する空気の吸い込み口を設け、前記機械室と連通して前記冷却ユニットの放熱部と熱交換した空気を前記貯蔵室の下部から前方に排出する排気ダクトを前記貯蔵室の下部に設け、前記排気ダクト内には蒸発皿を設け、前記空気の吸い込み口に埃が前記機械室内に入ることを防ぐためのフィルターを設け、前記機械室内部に冷蔵庫の電源がＯＮすると冷蔵庫の運転経過時間の積算を開始し、冷蔵庫の電源をＯＦＦにすると運転経過時間をリセットする運転時間積算タイマー内蔵電源制御ユニットを設け、前記機械室前面に運転経過時間が所定の時間に達すると点灯するフィルターお掃除お知らせランプを設けることにより、より貯蔵室の広い空間を提供することができ、かつフィルターの掃除時期を知らせることができる。
【００１１】
請求項２に記載の発明は、請求項１に記載の冷蔵庫において、機械室前面にＯＮすると冷蔵庫の運転経過時間をリセットする運転経過時間リセットスイッチを設けることで、電源コンセントを抜き差しすることなくフィルターの掃除時期を知らせることができる。
【００１２】
請求項３に記載の発明は、請求項１に記載の冷蔵庫において、機械室前面の空気の吸い込み口のフィルター取り付け部に、フィルターが取付けられるとＯＮし、フィルターが外されるとＯＦＦするフィルター状態判定スイッチを設け、前記フィルター状態判定スイッチがＯＮでかつ冷蔵庫の電源をＯＮすると運転経過時間の積算を開始し、前記フィルター状態判定スイッチがＯＦＦすると運転経過時間をリセットさせることで、電源コンセントを抜き差しすることなくフィルターの掃除時期を知らせることができる。
【００１３】
請求項４に記載の発明は、請求項１に記載の冷蔵庫において、機械室前面において、フィルターの空気を通過させる部分を保持するフィルター枠と対面し外の光から遮られる部分に光センサーを設け、前記光センサーが光を検知せず、かつ冷蔵庫の電源をＯＮすると運転経過時間の積算を開始し、前記光センサーが光を検知すると運転経過時間をリセットさせることで、電源コンセントを抜き差しすることなくフィルターの掃除時期を知らせることができる。
【００１４】
請求項５に記載の発明は、請求項１に記載の冷蔵庫において、機械室内部の空気吸い込み口後方に、空気の流量を検知する風量センサーを設け、前記機械室前面に空気の流量が所定の流量以下になると点灯し、所定の流量以上になると消灯するフィルターお掃除お知らせランプを設けることで、電源コンセントを抜き差しすることなくフィルターの掃除時期を知らせることができる。
【００１５】
以下、本発明の実施の形態について、図面を参照しながら説明する。なお、実施の形態によってこの発明が限定されるものではない。
【００１６】
（実施の形態１）
図１は本発明の実施の形態１におけるシステムキッチン組立時の冷蔵庫の斜視図であり、システムキッチンは奥行き・幅・高さなどで様々な種類があり、調理などをするワークトップ９はシステムキッチンの外枠１０の上部に構成されており、ワークトップにはシンク１１、その下に引き出し収納スペース１２、その下に本発明のシステムキッチン組み込み式冷蔵庫１３で構成されている。システムキッチン組み込み式冷蔵庫の前面には、意匠パネルドアを形成する化粧板１４Ａ、吸込み口付き化粧板１４Ｂ、フィルターお掃除お知らせランプ１５が構成されている。このような構成をすることにより、システムキッチンの外観意匠を損なわずにシステムキッチン組み込み式冷蔵庫１３を組み込むことができ、防塵用フィルターの掃除時期を知らせることができる。
【００１７】
図２は同実施の形態のシステムキッチン組み込み式冷蔵庫を前面に引き出したときの斜視図であり、システムキッチン組み込み式冷蔵庫１３は大きくは収納部１６、機械室１７で構成されている。収納部１６の前面には断熱扉１８があり断熱扉１８にはシステムキッチン外観意匠を統一するために化粧板１４Ａが取り付けられている。機械室１７の前面には吸込みグリル１４Ｃを一体成形した吸込み口付き化粧板１４Ｂが取り付けられている。
【００１８】
図３は同実施の形態のシステムキッチン組み込み式冷蔵庫の部分斜視図であり、機械室１７は、冷却ユニット１９の放熱器２０、ファンモータ２１、運転時間積算タイマー内蔵電源制御ユニット２２、蒸発皿２３、排気ダクト３０で構成されている。収納部１６の庫内２４は冷却ユニット１９の冷却器２５と庫内２４を分ける庫内カバー２６、庫内攪拌用ファンモータ２７、収納ケース２８を前後方向にスライドさせるレール２９で収納部１６の庫内を構成している。レール２９には固定レール２９Ａ、図示しない中間レール２９Ｂ、可動レール２９Ｃで構成されている。
【００１９】
図４は同実施の形態のシステムキッチン組み込み式冷蔵庫の冷却ユニットの断面図であり、ペルチェ素子３１、冷却器２５とペルチェ素子３１の熱交換をさせるためのヒートコンダクタ３２、ペルチェ素子３１によって出された熱を排熱するための高温側の放熱器２０、冷却器２５、ペルチェ素子３１、ヒートコンダクタ３２、放熱器２０を連結するケースコンダクタ３３で構成されている。
【００２０】
図５は同実施の形態のシステムキッチン組み込み式冷蔵庫の機械室の斜視図であり、機械室１７の内部にフィルター３４が設置されており、機械室内部へ埃が入ることによる冷却能力の低下などを防ぐことができる。
【００２１】
図６は同実施の形態のシステムキッチン組み込み式冷蔵庫の収納部を引き出したときの斜視図であり、断熱扉１８には収納ケース２８を支持するガイドレール３５があり、ガイドレール３５と可動レール２９Ｃは連結固定されている。
【００２２】
さらに、システムキッチン組み込み式冷蔵庫１３は、温度の設定により保冷庫や乾燥庫、温蔵庫としても使用することができる。
【００２３】
次に、同実施例の動作を説明する。まず機械室１７側を説明する。吸込み口付き化粧板１４Ｂから吸込まれた空気はフィルター３４を介してペルチェ素子３１から出された熱を放熱器２０と熱交換し、ファンモータ２１により吸込まれ、運転時間積算タイマー内蔵電源制御ユニット２２を冷却する。放熱器２０と運転時間積算タイマー内蔵電源制御ユニット２２と熱交換した高温空気は下部の排気ダクト３０に導かれ、蒸発皿２３を通過して庫内からのドレン水を蒸発させ、台所空間に放出される。また収納部１６側は、庫内攪拌用ファンモータ２７から吐出された冷気は収納部１６奥面を通り収納ケース２８に流入し庫内カバーの吸込み口から吸入され、冷却器２５で再び吸熱されて収納ケース２８に送風する。また、フィルターお掃除お知らせランプ１５の動作については、冷蔵庫の電源がＯＮすると冷蔵庫の運転経過時間の積算を開始し、冷蔵庫の電源をＯＦＦにすると運転経過時間をリセットする運転時間積算タイマー内蔵電源制御ユニット２２により、運転経過時間が所定の時間に達するとフィルターお掃除お知らせランプ１５が点灯する。
【００２４】
さらに、冷蔵庫１３は、温度の設定により保冷庫や乾燥庫、温蔵庫としても使用することができる。
【００２５】
（実施の形態２）
図７は本発明の実施の形態２におけるシステムキッチン組み込み式冷蔵庫の機械室の斜視図であり、機械室１７内部に運転経過時間リセットスイッチ３６が設置されている。
【００２６】
次に、同実施例の動作を説明する。まず機械室１７側を説明する。吸込み口付き化粧板１４Ｂから吸込まれた空気はフィルター３４を介してペルチェ素子３１から出された熱を放熱器２０と熱交換し、ファンモータ２１により吸込まれ、運転時間積算タイマー内蔵電源制御ユニット２２を冷却する。放熱器２０と運転時間積算タイマー内蔵電源制御ユニット２２と熱交換した高温空気は下部の排気ダクト３０に導かれ、蒸発皿２３を通過して庫内からのドレン水を蒸発させ、台所空間に放出される。また収納部１６側は、庫内攪拌用ファンモータ２７から吐出された冷気は収納部１６奥面を通り収納ケース２８に流入し庫内カバーの吸込み口から吸入され、冷却器２５で再び吸熱されて収納ケース２８に送風する。また、フィルターお掃除お知らせランプ１５の動作については、冷蔵庫の電源がＯＮすると冷蔵庫の運転経過時間の積算を開始し、運転経過時間リセットスイッチ３６をＯＮすると運転経過時間をリセットする運転時間積算タイマー内蔵電源制御ユニット２２により、運転経過時間が所定の時間に達するとフィルターお掃除お知らせランプ１５が点灯する。
【００２７】
（実施の形態３）
図８は本発明の実施の形態３におけるシステムキッチン組み込み式冷蔵庫の斜視図であり、機械室１７前面のフィルター３４が取付けられる部分にフィルター状態判定スイッチ３７を設置している。
【００２８】
次に、同実施例の動作を説明する。まず機械室１７側を説明する。吸込み口付き化粧板１４Ｂから吸込まれた空気はフィルター３４を介してペルチェ素子３１から出された熱を放熱器２０と熱交換し、ファンモータ２１により吸込まれ、運転時間積算タイマー内蔵電源制御ユニット２２を冷却する。放熱器２０と運転時間積算タイマー内蔵電源制御ユニット２２と熱交換した高温空気は下部の排気ダクト３０に導かれ、蒸発皿２３を通過して庫内からのドレン水を蒸発させ、台所空間に放出される。また収納部１６側は、庫内攪拌用ファンモータ２７から吐出された冷気は収納部１６奥面を通り収納ケース２８に流入し庫内カバーの吸込み口から吸入され、冷却器２５で再び吸熱されて収納ケース２８に送風する。また、フィルターお掃除お知らせランプ１５の動作については、冷蔵庫の電源がＯＮされ、かつフィルター３４が取付けられてフィルター状態判定スイッチ３７がＯＮされていると冷蔵庫の運転経過時間の積算を開始し、フィルター３４を掃除するためにフィルター３４が外されてフィルター状態判定スイッチ３７がＯＦＦされると、運転経過時間をリセットする運転時間積算タイマー内蔵電源制御ユニット２２により、運転経過時間が所定の時間に達するとフィルターお掃除お知らせランプ１５が点灯する。
【００２９】
（実施の形態４）
図９は本発明の実施の形態４におけるシステムキッチン組み込み式冷蔵庫の斜視図であり、機械室１７前面のフィルター３４が取付けられる部分に光センサー３８を設置している。
【００３０】
次に、同実施例の動作を説明する。まず機械室１７側を説明する。吸込み口付き化粧板１４Ｂから吸込まれた空気はフィルター３４を介してペルチェ素子３１から出された熱を放熱器２０と熱交換し、ファンモータ２１により吸込まれ、運転時間積算タイマー内蔵電源制御ユニット２２を冷却する。放熱器２０と運転時間積算タイマー内蔵電源制御ユニット２２と熱交換した高温空気は下部の排気ダクト３０に導かれ、蒸発皿２３を通過して庫内からのドレン水を蒸発させ、台所空間に放出される。また収納部１６側は、庫内攪拌用ファンモータ２７から吐出された冷気は収納部１６奥面を通り収納ケース２８に流入し庫内カバーの吸込み口から吸入され、冷却器２５で再び吸熱されて収納ケース２８に送風する。また、フィルターお掃除お知らせランプ１５の動作については、冷蔵庫の電源がＯＮされ、かつフィルター３４が取付けられて光センサー３８が光を検知していないと冷蔵庫の運転経過時間の積算を開始し、フィルター３４を掃除するためにフィルター３４が外されて光センサー３８が光を検知すると、運転経過時間をリセットする運転時間積算タイマー内蔵電源制御ユニット２２により、運転経過時間が所定の時間に達するとフィルターお掃除お知らせランプ１５が点灯する。
【００３１】
（実施の形態５）
図１０は本発明の実施の形態５におけるシステムキッチン組み込み式冷蔵庫の機械室の斜視図であり、機械室１７内部に風量センサー３９が設置されている。
【００３２】
次に、同実施例の動作を説明する。まず機械室１７側を説明する。吸込み口付き化粧板１４Ｂから吸込まれた空気はフィルター３４を介してペルチェ素子３１から出された熱を放熱器２０と熱交換し、ファンモータ２１により吸込まれ、運転時間積算タイマー内蔵電源制御ユニット２２を冷却する。放熱器２０と運転時間積算タイマー内蔵電源制御ユニット２２と熱交換した高温空気は下部の排気ダクト３０に導かれ、蒸発皿２３を通過して庫内からのドレン水を蒸発させ、台所空間に放出される。また収納部１６側は、庫内攪拌用ファンモータ２７から吐出された冷気は収納部１６奥面を通り収納ケース２８に流入し庫内カバーの吸込み口から吸入され、冷却器２５で再び吸熱されて収納ケース２８に送風する。また、フィルターお掃除お知らせランプ１５の動作については、冷蔵庫の電源がＯＮされ、かつ機械室１７内部のフィルターを通過した後の空気の流量を風量センサー３９が検知し、フィルター３４がほこりで目詰まりすることにより風量が所定の流量以下になるとフィルターお掃除お知らせランプ１５が点灯し、フィルター３４についたほこりを掃除することで風量が所定の流量以上になるとフィルターお掃除お知らせランプ１５が消灯する。
【産業上の利用可能性】
【００３３】
以上のように、本発明にかかる冷蔵庫は、限られた空間を有効に活用できるのでシステムキッチンなどのビルトイン機器に適用できる。
【図面の簡単な説明】
【００３４】
【図１】本発明の実施の形態１から５におけるシステムキッチン組立時の冷蔵庫の斜視図
【図２】本発明の実施の形態１から５におけるシステムキッチン組み込み式冷蔵庫を前面に引出した時の斜視図
【図３】本発明の実施の形態１から５におけるシステムキッチン組み込み式冷蔵庫の部分斜視図
【図４】本発明の実施の形態１から５におけるシステムキッチン組み込み式冷蔵庫の冷却ユニットの断面図
【図５】本発明の実施の形態１から５におけるシステムキッチン組み込み式冷蔵庫の機械室の斜視図
【図６】本発明の実施の形態１から５におけるシステムキッチン組み込み式冷蔵庫の収納部を引き出したときの斜視図
【図７】本発明の実施の形態２におけるシステムキッチン組み込み式冷蔵庫の機械室の斜視図
【図８】本発明の実施の形態３におけるシステムキッチン組み込み式冷蔵庫の斜視図
【図９】本発明の実施の形態４におけるシステムキッチン組み込み式冷蔵庫の斜視図
【図１０】本発明の実施の形態５におけるシステムキッチン組み込み式冷蔵庫の機械室の斜視図
【図１１】従来のシステムキッチン組み込み式保冷庫の斜視図
【符号の説明】
【００３５】
１２  引き出し収納スペース
１３  システムキッチン組み込み式冷蔵庫
１５  フィルターお掃除お知らせランプ
１７  機械室
１９  冷却ユニット
２０  放熱器
２２  運転時間積算タイマー内蔵電源制御ユニット（運転時間積算タイマー）
２９  レール
２９Ａ  固定レール
２９Ｂ  中間レール
２９Ｃ  可動レール
３０  排気ダクト
３４  フィルター
３６  運転経過時間リセットスイッチ
３７  フィルター状態判定スイッチ
３８  光センサー
３９  風量センサー
【図１】
2007040671.tif 000003
【図２】
2007040671.tif 000004
【図３】
2007040671.tif 000005
【図４】
2007040671.tif 000006
【図５】
2007040671.tif 000007
【図６】
2007040671.tif 000008
【図７】
2007040671.tif 000009
【図８】
2007040671.tif 000010
【図９】
2007040671.tif 000011
【図１０】
2007040671.tif 000012
【図１１】
2007040671.tif 000013